(57)【要約】【課題】  携帯通信ユーザーの基地局測定減少の方法の提供。【解決手段】  駐留基地局の共同ブロードキャストメッセージを受け取り、測定テーブルを構築し、テーブル中の測定が必要な少なくとも一つの基地局を少なくとも一つの測定グループに分割し、測定グループは測定インターバル周波数と、測定時無線携帯装置が取得できる基地局の信号品質を具え、並びに測定した基地局所在の測定グループを調整して無線携帯装置が比較的低い測定インターバル周波数で信号品質が劣る基地局を測定し、並びに比較的高い測定インターバル周波数で信号品質が良好な基地局を測定できるようにし、システムソース及び電気エネルギーを節約する。【選択図】        図２
2006197355.tif 000002
【特許請求の範囲】
【請求項１】
携帯通信ユーザーの基地局測定減少の方法において、この方法は携帯通信ネットワーク中に用いられ、該携帯通信ネットワークは少なくとも一つの基地局と、駐留基地局のサービスエリア中に位置し該少なくとも一つの基地局に対して測定を行なう一つのユーザー側装置とを包含し、この方法は、
共同メッセージ受信ステップ、測定テーブル構築ステップ、信号測定ステップ、測定グループ調整ステップを包含し、
共同メッセージ受信ステップにおいて、ユーザー側装置は駐留基地局の発射する共同ブロードキャストメッセージを受信し、該共同ブロードキャストメッセージには測定が必要な少なくとも一つの基地局のデータが包含され、
該測定テーブル構築ステップにおいて、ユーザー側装置が該共同ブロードキャストメッセージにより、該少なくとも一つの測定が必要の基地局を包含する測定テーブルを構築し、該測定テーブル中には少なくとも一つの測定グループが包含され、且つ該少なくとも一つの測定グループは対応する測定インターバル周波数を有し、
該信号測定ステップにおいて、該少なくとも一つの基地局が所属する測定グループの測定インターバル周波数により該少なくとも一つの基地局に対して測定を行ない、少なくとも一つの信号品質を取得し、
該測定グループ調整ステップにおいて、測定した各基地局の信号品質相互間の対比結果により、該測定テーブル中の少なくとも一つの基地局が所在の測定グループを調整することを特徴とする、携帯通信ユーザーの基地局測定減少の方法。
【請求項２】
請求項１記載の携帯通信ユーザーの基地局測定減少の方法において、測定グループ調整ステップが、
測定テーブル中に一つだけ基地局があるか否かを判別して、測定テーブル中に一つだけ基地局がある場合、その基地局を測定グループ中に設定する、判別ステップと、
測定テーブル中に複数の基地局があれば、測定された信号品質を対比し並びに配列し、更に配列の順序により各基地局を少なくとも一つの測定グループにグループ分けする、対比グループ分けステップと、
少なくとも一つの測定グループ中の少なくとも一つの基地局の信号品質により、少なくとも一つの測定グループの測定インターバル周波数を設定する、測定インターバル周波数設定ステップと、
を包含することを特徴とする、携帯通信ユーザーの基地局測定減少の方法。
【請求項３】
請求項２記載の携帯通信ユーザーの基地局測定減少の方法において、測定インターバル周波数設定ステップにおいて、設定される少なくとも一つの測定グループの測定インターバル周波数は所定の測定インターバル周波数とされることを特徴とする、携帯通信ユーザーの基地局測定減少の方法。
【請求項４】
請求項１記載の携帯通信ユーザーの基地局測定減少の方法において、共同メッセージ受信ステップの後に静止検出ステップを更に包含し、該静止検出ステップにおいて、ユーザー側装置が静止状態にあることを検出すると、測定テーブル中の駐留基地局が所属する測定グループ以外の少なくとも一つの測定グループの少なくとも一つの測定インターバル周波数を少なくとも一つの所定の設定値に設定することを特徴とする、携帯通信ユーザーの基地局測定減少の方法。
【請求項５】
請求項１記載の携帯通信ユーザーの基地局測定減少の方法において、ユーザー側装置が測定する少なくとも一つの基地局の信号品質は、測定される信号値を重み付けパラメータで重み付けしたものとされることを特徴とする、携帯通信ユーザーの基地局測定減少の方法。
【請求項６】
携帯通信ユーザーの基地局測定減少のシステムにおいて、
少なくとも一つの基地局を包含する通信ネットワークと、
該通信ネットワーク中に位置し、並びにサービスエリアを有し、測定が必要な少なくとも一つの基地局のデータを包含する共同ブロードキャストメッセージを発射する駐留基地局と、
該駐留基地局のサービスエリア中に位置し、並びに共同ブロードキャストメッセージを受信して、測定インターバル周波数を有する少なくとも一つの測定グループを包含する測定テーブルを構築し、且つ該測定インターバル周波数により該少なくとも一つの基地局の信号品質を取得し、並びにこれにより該測定テーブル中の該少なくとも一つの基地局が所属する測定グループを調整するユーザー側装置と、
を具えたことを特徴とする、携帯通信ユーザーの基地局測定減少のシステム。
【請求項７】
請求項６記載の携帯通信ユーザーの基地局測定減少のシステムにおいて、ユーザー側装置は測定した少なくとも一つの基地局の信号品質によりこれら測定グループの測定インターバル周波数を設定することを特徴とする、携帯通信ユーザーの基地局測定減少のシステム。
【請求項８】
請求項７記載の携帯通信ユーザーの基地局測定減少のシステムにおいて、ユーザー側装置が設定した少なくとも一つの測定グループの測定インターバル周波数が所定の測定インターバル周波数とされたことを特徴とする、携帯通信ユーザーの基地局測定減少のシステム。
【請求項９】
請求項６記載の携帯通信ユーザーの基地局測定減少のシステムにおいて、ユーザー側装置が移動検出装置を更に具え、該移動検出装置がユーザー側装置が静止状態にあるか否かの判断を行なうことを特徴とする、携帯通信ユーザーの基地局測定減少のシステム。
【請求項１０】
請求項６記載の携帯通信ユーザーの基地局測定減少のシステムにおいて、ユーザー側装置が重み付けパラメータを保存して測定した信号値に対して重み付けし、これにより少なくとも一つの基地局の信号品質を得ることを特徴とする、携帯通信ユーザーの基地局測定減少のシステム。
【発明の詳細な説明】
【技術分野】
【０００１】
本発明は一種の基地局測定減少の方法に係り、特に、携帯通信ユーザー側の基地局測定減少の方法に関する。
【背景技術】
【０００２】
現在の通信技術にあって、節電技術の課題は全ての通信製品が克服しなければならないものとなっており、現在の電源関係技術は電源装置の使用を有効に延長できない情況にあって、いかに通信製品の消耗する電源を減らすかは、非常に重要な課題である。ユーザー側（例えば：携帯電話）は各基地局の特定ダウンストリームチャネルの信号品質により、適合する駐留基地局を選択する。駐留基地局はブロードキャストメッセージをダウンストリームし、それにより測定が必要な基地局テーブルが包含され、ユーザー側はこれらの基地局を一同に見なし、固定周波数で信号品質測定を行ない、並びにこの方式により続けて駐留基地局をモニタリング及び交換する。
【０００３】
しかし、全ての測定する基地局中の一部の基地局の信号品質がずっと劣ったままの情況にある時、或いはユーザー側がいずれかの基地局から遠く離れている時、続けて測定するのに過多の電力を消耗し、更にＣＰＵの資源を浪費する。
【発明の開示】
【発明が解決しようとする課題】
【０００４】
本発明は一種の携帯通信ユーザーの基地局測定減少の方法を提供することを目的とし、それは携帯通信ネットワーク中に適用される。そのうち、携帯通信ネットワークは複数の基地局を包含し、ユーザー側装置は駐留基地局のサービス範囲中に位置し、並びに駐留基地局が提供する測定テーブル中の基地局に対して測定を行なう。そのステップは、共同メッセージ受信ステップ、測定構築ステップ、信号測定ステップ、測定グループ周波数調整ステップを包含する。まず、ユーザー側装置は駐留基地局の発射する共同ブロードキャストメッセージを受信する。そのなかには測定が必要な少なくとも一つの基地局のデータが包含される。その後、測定が必要な少なくとも一つの基地局のデータをユーザー側装置にビルトインされた測定テーブル中に加入し、この測定テーブルは複数の測定グループを包含し、各測定グループはいずれもその対応する測定インターバル周波数を有している。測定構築ステップでは、測定インターバル周波数により測定テーブルの基地局に対して測定を行ない、その信号品質を取得する。最後に測定インターバル周波数調整ステップで、測定した基地局の信号品質により、基地局の所属の測定グループを調整する。これにより、本発明はユーザー側装置が、測定インターバル周波数調整により基地局測定の回数を削減できるようにし、資源消耗を減らす効果を達成できる。
【０００５】
上述の測定される基地局の信号品質とは、測定される信号値、信号雑音比（ＳＮＲ）、或いはビットエラー率（ＢＥＲ）を指し、並びに重み付けパラメータで重み付けを行なう。そのうち、駐留基地局はネットワーク中の基地局の負荷程度、或いは基地局間の距離等の因子により、この重み付けパラメータを設定し、並びにユーザー側装置に伝送する。しかし、ユーザー側装置も自身と測定する各基地局の距離により、或いはユーザー側装置の移動情況等の因子により、各基地局の測定インターバル周波数を調整する。
【課題を解決するための手段】
【０００６】
請求項１の発明は、携帯通信ユーザーの基地局測定減少の方法において、この方法は携帯通信ネットワーク中に用いられ、該携帯通信ネットワークは少なくとも一つの基地局と、駐留基地局のサービスエリア中に位置し該少なくとも一つの基地局に対して測定を行なう一つのユーザー側装置とを包含し、この方法は、
共同メッセージ受信ステップ、測定テーブル構築ステップ、信号測定ステップ、測定グループ調整ステップを包含し、
共同メッセージ受信ステップにおいて、ユーザー側装置は駐留基地局の発射する共同ブロードキャストメッセージを受信し、該共同ブロードキャストメッセージには測定が必要な少なくとも一つの基地局のデータが包含され、
該測定テーブル構築ステップにおいて、ユーザー側装置が該共同ブロードキャストメッセージにより、該少なくとも一つの測定が必要の基地局を包含する測定テーブルを構築し、該測定テーブル中には少なくとも一つの測定グループが包含され、且つ該少なくとも一つの測定グループは対応する測定インターバル周波数を有し、
該信号測定ステップにおいて、該少なくとも一つの基地局が所属する測定グループの測定インターバル周波数により該少なくとも一つの基地局に対して測定を行ない、少なくとも一つの信号品質を取得し、
該測定グループ調整ステップにおいて、測定した各基地局の信号品質相互間の対比結果により、該測定テーブル中の少なくとも一つの基地局が所在の測定グループを調整することを特徴とする、携帯通信ユーザーの基地局測定減少の方法としている。
請求項２の発明は、請求項１記載の携帯通信ユーザーの基地局測定減少の方法において、測定グループ調整ステップが、
測定テーブル中に一つだけ基地局があるか否かを判別して、測定テーブル中に一つだけ基地局がある場合、その基地局を測定グループ中に設定する、判別ステップと、
測定テーブル中に複数の基地局があれば、測定された信号品質を対比し並びに配列し、更に配列の順序により各基地局を少なくとも一つの測定グループにグループ分けする、対比グループ分けステップと、
少なくとも一つの測定グループ中の少なくとも一つの基地局の信号品質により、少なくとも一つの測定グループの測定インターバル周波数を設定する、測定インターバル周波数設定ステップと、
を包含することを特徴とする、携帯通信ユーザーの基地局測定減少の方法としている。
請求項３の発明は、請求項２記載の携帯通信ユーザーの基地局測定減少の方法において、測定インターバル周波数設定ステップにおいて、設定される少なくとも一つの測定グループの測定インターバル周波数は所定の測定インターバル周波数とされることを特徴とする、携帯通信ユーザーの基地局測定減少の方法としている。
請求項４の発明は、請求項１記載の携帯通信ユーザーの基地局測定減少の方法において、共同メッセージ受信ステップの後に静止検出ステップを更に包含し、該静止検出ステップにおいて、ユーザー側装置が静止状態にあることを検出すると、測定テーブル中の駐留基地局が所属する測定グループ以外の少なくとも一つの測定グループの少なくとも一つの測定インターバル周波数を少なくとも一つの所定の設定値に設定することを特徴とする、携帯通信ユーザーの基地局測定減少の方法としている。
請求項５の発明は、請求項１記載の携帯通信ユーザーの基地局測定減少の方法において、ユーザー側装置が測定する少なくとも一つの基地局の信号品質は、測定される信号値を重み付けパラメータで重み付けしたものとされることを特徴とする、携帯通信ユーザーの基地局測定減少の方法としている。
請求項６の発明は、携帯通信ユーザーの基地局測定減少のシステムにおいて、
少なくとも一つの基地局を包含する通信ネットワークと、
該通信ネットワーク中に位置し、並びにサービスエリアを有し、測定が必要な少なくとも一つの基地局のデータを包含する共同ブロードキャストメッセージを発射する駐留基地局と、
該駐留基地局のサービスエリア中に位置し、並びに共同ブロードキャストメッセージを受信して、測定インターバル周波数を有する少なくとも一つの測定グループを包含する測定テーブルを構築し、且つ該測定インターバル周波数により該少なくとも一つの基地局の信号品質を取得し、並びにこれにより該測定テーブル中の該少なくとも一つの基地局が所属する測定グループを調整するユーザー側装置と、
を具えたことを特徴とする、携帯通信ユーザーの基地局測定減少のシステムとしている。
請求項７の発明は、請求項６記載の携帯通信ユーザーの基地局測定減少のシステムにおいて、ユーザー側装置は測定した少なくとも一つの基地局の信号品質によりこれら測定グループの測定インターバル周波数を設定することを特徴とする、携帯通信ユーザーの基地局測定減少のシステムとしている。
請求項８の発明は、請求項７記載の携帯通信ユーザーの基地局測定減少のシステムにおいて、ユーザー側装置が設定した少なくとも一つの測定グループの測定インターバル周波数が所定の測定インターバル周波数とされたことを特徴とする、携帯通信ユーザーの基地局測定減少のシステムとしている。
請求項９の発明は、請求項６記載の携帯通信ユーザーの基地局測定減少のシステムにおいて、ユーザー側装置が移動検出装置を更に具え、該移動検出装置がユーザー側装置が静止状態にあるか否かの判断を行なうことを特徴とする、携帯通信ユーザーの基地局測定減少のシステムとしている。
請求項１０の発明は、請求項６記載の携帯通信ユーザーの基地局測定減少のシステムにおいて、ユーザー側装置が重み付けパラメータを保存して測定した信号値に対して重み付けし、これにより少なくとも一つの基地局の信号品質を得ることを特徴とする、携帯通信ユーザーの基地局測定減少のシステムとしている。
【発明の効果】
【０００７】
本発明の携帯通信ユーザーの基地局測定減少の方法は、駐留基地局の共同ブロードキャストメッセージを受け取り、測定テーブルを構築し、テーブル中の測定が必要な少なくとも一つの基地局を少なくとも一つの測定グループに分割し、測定グループは測定インターバル周波数と、測定時無線携帯装置が取得できる基地局の信号品質を具え、並びに測定した基地局所在の測定グループを調整して無線携帯装置が比較的低い測定インターバル周波数で信号品質が劣る基地局を測定し、並びに比較的高い測定インターバル周波数で信号品質が良好な基地局を測定できるようにし、システムソース及び電気エネルギーを節約する。
【発明を実施するための最良の形態】
【０００８】
図１は本発明の好ましい実施例のシステム表示図である。通信ネットワーク１中には、複数の基地局１０、１１が包含され、そのうちユーザー側装置２０は駐留基地局１０のサービスエリア中に位置し、並びに近隣の基地局１０、１１に対して、測定を行なう（測定対象は駐留基地局１０を包含する）。
【０００９】
図２は本発明の好ましい実施例の方法のフローチャートである。本方法は、共同ブロードキャストメッセージ受信ステップ（Ｓ２０１）、測定構築ステップ（Ｓ２０２）、信号測定ステップ（Ｓ２０３）、測定グループ調整ステップ（Ｓ２０４）を包含する。共同ブロードキャストメッセージ受信ステップ（Ｓ２０１）において、駐留基地局１０のサービスエリア中のユーザー側装置２０は駐留基地局１０の発射する共同ブロードキャストメッセージを受信する。該共同ブロードキャストメッセージには測定が必要な基地局１０、１１のデータが包含される。その後、測定構築ステップ（Ｓ２０２）において、ユーザー側装置２０は受け取った共同ブロードキャストメッセージ中より測定が必要な基地局１０、１１のデータを取り出し、並びにビルトインされた測定テーブル中に加入する。例えば新たに測定が必要な基地局１０、１１を測定テーブルに加えるか、或いは既に測定テーブル中にある一部の基地局１０、１１を削除するか、或いは全て交換して測定が必要な新しい基地局１０、１１とする。測定テーブル中には複数の測定グループがあり測定が必要な基地局１０、１１の選択的加入に供され、各測定グループはその測定インターバル周波数ｆを有し、且つその包含する測定基地局個数に制限はない。
【００１０】
その次は信号測定ステップ（Ｓ２０３）であり、このステップにおいて、ユーザー側装置２０は測定テーブル中の全ての基地局１０、１１の所属する測定グループの測定インターバル周波数ｆにより、基地局１０、１１に対して信号品質の測定を行なう。最後は測定グループ調整ステップ（Ｓ２０４）であり、このステップにおいて、測定した基地局１０、１１の信号品質により、測定テーブル中の基地局１０、１１が所属する測定グループを調整し、並びに信号品質により、特定の測定グループの測定インターバル周波数ｆに対して調整を行なうか或いはもとの測定インターバル周波数ｆを保持する。
【００１１】
上述の測定グループ調整ステップにおいては、先ず全ての測定テーブルの基地局１０、１１をその信号品質により配列し、その後、更にセットに分け、例えば前のＮ１個を第１組とし、第Ｎ１＋１個から第Ｎ１＋Ｎ２個を第２組とし、そのほかはこれにより類推されるとおりとする。
【００１２】
図３は本発明の好ましい実施例の測定表示図である。図中、時間点Ｔ1 及び時間点Ｔ2 にあって、先ず基地局Ａ、Ｂ、Ｃ、Ｄ、及びＥに対して測定を行ない（時間点Ｔ1 、Ｔ2 の間の時間サイクル（Ｔintervalは測定インターバル周波数ｆの逆数とされ、時間点Ｔ1 、Ｔ2 で二回の連続且つ有効な測定を行なう）、その測定した信号品質が良好である基地局Ａ、Ｂ、Ｃは第１測定グループに帰属し、その測定インターバル周波数はｆとされ、基地局Ｄ及びＥは測定された信号品質が不良であり（距離因子或いは障害物の影響による）、即ち第２測定グループに帰属し、並びにその測定インターバル周波数ｆs が設定され（測定インターバル周波数ｆs は時間サイクルＴskipの逆数とされ、並びに正常な測定インターバル周波数ｆより小さい）、ゆえに時間点Ｔn に到る前の全体の時間サイクルＴskip中の基地局Ｄ及びＥは測定を行なう必要はなく、一部の測定時の電源を節約することができる。
【００１３】
図４は本発明の別の好ましい実施例の測定表示図である。図４の時間点Ｔ1 、Ｔ2 時の測定により基地局Ｆ、Ｇ、Ｈが信号品質が良好であるものと知ることができ、第１測定グループに帰属し、その測定インターバル周波数ｆに変化はなく、基地局Ｉ及びＪは信号品質が劣るものとされて第２測定グループに帰属し、両者は交替して低い測定インターバル周波数ｆs2（低い測定インターバル周波数ｆs2は時間サイクルＴskip2 の逆数）の周波数で測定され、時間点Ｔ7 に到る時、基地局Ｊに対して測定された信号品質（この信号品質は重み付け済みとされうる）が基地局Ｈに対して測定された信号品質より優れていることが分かり、ゆえに、時間点Ｔ7 の後、基地局Ｊがもとの第１測定グループ中の基地局Ｈに代わり、測定インターバル周波数ｆで測定され、基地局Ｈが第２測定グループ中に改められ、基地局Ｉと交替して低い測定インターバル周波数ｆs2で測定される。
【００１４】
図５は本発明のまた別の実施例の測定表示図である。ユーザー側装置２０が静止状態の時、その測定する駐留基地局Ｘの信号品質はあまり大きな変化はなく、図中の時間点Ｔ1 で測定される駐留基地局Ｘの信号品質と時間点Ｔ2 で測定される駐留基地局Ｘの信号品質の変化量が門限値より小さければ（例えば：変化量が５％より小さい）、ユーザー側装置２０が静止の状態にあると推測でき、時間点Ｔ3 以降は駐留基地局Ｘの信号品質のみ測定すればよく、この時、基地局Ｙ及び基地局Ｚのある測定グループの測定インターバル周波数ｆx3は設定値に設定され、この選定設定値は無限大とされ、ゆえに時間点n+1 に到る前にその信号品質変化量が門限値を超過する時まで、基地局Ｚ及び基地局Ｙに対して測定せず、これにより不必要な浪費を節約できる。時間点時間点n+1 以降、ユーザー側装置２０は移動開始したと推測され、再度測定テーブル中の基地局Ｙ及び基地局Ｚの測定を行なう。上述のユーザー側装置２０が静止状態にあるか否かの判断の方式には多種類があり、並びに駐留基地局Ｘの信号変化量を測定する方式に限定されるわけではなく、ＧＰＳ、ジャイロメーター等を使用しても目的を達成できる。
【００１５】
以上の実施例は本発明の説明の為に提示したものであり、本発明の主張する権利範囲は特許請求の範囲の記載に準じ、以上の実施例に限定されない。
【図面の簡単な説明】
【００１６】
【図１】本発明の好ましい実施例のシステム表示図である。
【図２】本発明の好ましい実施例の方法のフローチャートである。
【図３】本発明の好ましい実施例の測定表示図である。
【図４】本発明の別の好ましい実施例の測定表示図である。
【図５】本発明のまた別の実施例の測定表示図である。
【符号の説明】
【００１７】
１  通信ネットワーク      １１  基地局            ２０  ユーザー側装置
１０  駐留基地局
ｆ  測定インターバル周波数
Ｓ２０１〜Ｓ２０４  ステップ
Ａ、Ｂ、Ｃ、Ｄ、Ｅ、Ｆ、Ｇ、Ｈ、Ｉ、Ｊ、Ｙ  基地局
Ｘ  駐留基地局
Ｔ1 、Ｔ2 、Ｔ3 、Ｔ4 、Ｔ5 、Ｔ6 、Ｔ7 、Ｔ8 、Ｔ9 、Ｔ10、Ｔn 、Ｔn+1   時間点
Ｔinterval、Ｔskip、Ｔskip2   時間サイクル
ｆ、ｆs 、ｆs2、ｆs3  測定インターバル周波数
【図１】
2006197355.tif 000003
【図２】
2006197355.tif 000004
【図３】
2006197355.tif 000005
【図４】
2006197355.tif 000006
【図５】
2006197355.tif 000007